(57)【要約】    【課題】  負荷の大きな電気機器に対しても電圧降下を少なくできるようにしたコードの巻取り器を提供する。    【解決手段】  中継用コードを巻き取るコードの巻取り器において、一端が雄プラグ(20A)、他端が雌プラグ(20B)となった中継用コード(20)を携帯し得る長さに折り返すための基準となるバー(11)と、該バーの中央に起立してかつ回転自在に取付けられた取っ手(12)と、上記バーの両端に設けられ、折り返されて上記バーの両端間に掛け渡された中継用コードを保持するＵ字状アーム(13)と、を備える。【選択図】  図２
0003150261.tif 000002
【実用新案登録請求の範囲】
【請求項１】
中継用コードを巻き取るコードの巻取り器において、
一端が雄プラグ(20A)、他端が雌プラグ(20B)となった中継用コード(20)を携帯し得る長さに折り返すための基準となるバー(11)と、
該バー(11)の中央に起立してかつ回転自在に取付けられた取っ手(12)と、
上記バー(11)の両端に設けられ、折り返されて上記バー(11)の両端間に掛け渡された中継用コード(20)を保持するＵ字状アーム(13)と、
を備えたことを特徴とするコードの巻取り器。
【請求項２】
上記Ｕ字状アーム(13)の両先端(13A)がフック状に折り返されている請求項１記載のコードの巻取り器。
【請求項３】
上記バー(11)には引っ掛け部(11A)が設けられ、該引っ掛け部(11A)に雄プラグ(20A)又は雌プラグ(20B)の一方が引っ掛けられて上記中継用コード(20)が上記バー(11)の両端間に掛け渡されている請求項１記載のコードの巻取り器。
【考案の詳細な説明】
【技術分野】
【０００１】
本考案はコードの巻取り器に関し、特に電圧降下を少なくできるようにしたコードの巻取り器に関する。
【背景技術】
【０００２】
例えば、屋外等において電気機器を使用する場合、電気機器のコードが短く、電源まで届かないと、電気機器を作動させることができない。そこで、中継用コードを用いて電気機器と電源との間を中継することが行われている（特許文献１）。
【０００３】
この中継用コードは１０ｍや２０ｍと比較的長いので、中継用コードを巻取りドラムにコイル状に巻き取り、必要な長さだけ引き出して使用する一方、巻取りドラムの側面に雌プラグを設けるようになっている（特許文献２、特許文献３）。
【先行技術文献】
【特許文献】
【０００４】
【特許文献１】特開２００７−３０２３８６号公報
【特許文献２】実用新案登録第３１１１３１8 号公報
【特許文献３】実用新案登録第３０１８２６２号公報
【考案の開示】
【考案が解決しようとする課題】
【０００５】
しかし、特許文献２、３記載の巻取り器では中継用コードのうち不要な部分を巻取りドラムにコイル状に巻回したままで電気機器に通電すると、磁界が発生し、電気機器の負荷が大きいと電圧降下が大きく、電気機器の作動効率が低下するという問題があった。
【０００６】
本考案はかかる問題点に鑑み、負荷の大きな電気機器に対しても電圧降下を少なくできるようにしたコードの巻取り器を提供することを課題とする。
【課題を解決するための手段】
【０００７】
そこで、本考案に係るコードの巻取り器は、中継用コードを巻き取るコードの巻取り器において、一端が雄プラグ、他端が雌プラグとなった中継用コードを携帯し得る長さに折り返すための基準となるバーと、該バーの中央に起立してかつ回転自在に取付けられた取っ手と、上記バーの両端に設けられ、折り返されて上記バーの両端間に掛け渡された中継用コードを保持するＵ字状アームと、を備えたことを特徴とする。
【０００８】
本考案の特徴の１つは一端が雄プラグ、他端が雌プラグとなった中継用コードをバーの両端で折り返して掛け渡し、Ｕ字状アームによって保持するようにした点にある。これにより、使用時には中継用コードを全て巻き出さないと、使用できず、その結果として負荷の大きな電気機器に対して通電するときに電圧降下が少なく、電気機器の作動効率の低下を小さくできる。
【０００９】
また、バーに中央に取っ手を回転自在に設けたので、取っ手を持って巻取り器を運ぶと、中継用コードが巻取り器から自然と巻き出され、巻き出し作業が容易にできる。
【００１０】
Ｕ字状アームの両先端はそのまま伸ばしてもよいが、フック状に折り返すと、巻取り器を適当な箇所に引っ掛けておくことができ、保管や車両による輸送に便利である。
【００１１】
中継用コードは雄プラグ又は雌プラグのいずれか一方を内側にしてバーの両端間に掛け渡すようにするのがよい。これによって中継用コードの全てが巻取り器から巻き出されるからであるが、必要に応じて少しの部分であればバーに掛け渡しておいてもよい。この場合、バーには引っ掛け部を設け、引っ掛け部に雄プラグ又は雌プラグの一方を引っ掛けて中継用コードをバーの両端間に掛け渡すのがよい。
【図面の簡単な説明】
【００１２】
【図１】本考案に係るコード巻取り器の好ましい実施形態を示す斜視図である。
【図２】上記実施形態における中継用コードを巻き取った状態を示す図である。
【考案を実施するための形態】
【００１３】
以下、本考案を具体例に基づいて詳細に説明する。図１及び図２は本考案に係るコードの巻取り器の好ましい実施形態を示す。本例の巻取り器１０はバー１１、取っ手１２及びＵ字状アーム１３から構成されている。
【００１４】
バー１１には例えばステンレス製の角パイプを携帯し得る長さに折り返す長さに切断して用いられ、該バー１１の端部近傍には引っ掛け部１１Ａが溶接等によって固定され、又バー１１の中央には挿通穴が穿設されている。取っ手１２には回転軸が回転自在に設けられ、回転軸はバー１１の挿通穴に挿通されてナットによって抜止めされており、これによって取っ手１２はバー１１に回転自在に取付けられている。
【００１５】
Ｕ字状アーム１３はその平坦な中央部分がバー１１の先端に溶接などによって固定され、Ｕ字状アーム１３の両先端部分１３Ａはフック状に折り曲げられている。
【００１６】
中継用コード２０を持ち運ぶ場合、中継用コード２０の一端の雄プラグ２０Ａ又は他端の雌プラグ２０Ｂを引っ掛け部１１Ａに引っ掛けて中継用コード２０を一方のＵ字状アーム１３から他方のＵ字状アーム１３に向けてバー１１に沿わせ、他方のＵ字状アーム１３で折り返し、一方のＵ字状アーム１３に向けてバー１１に沿わせ、これを繰り返して図２に示されるように中継用コード２０を巻取り器１０に巻き取る。
【００１７】
こうして中継用コード２０を巻き取ると、中継用コード２０を巻取り器１０ごと車両の荷台に積み込み、使用場所まで運ぶ。使用場所につくと、巻取り器１０のＵ字状アーム１３先端のフック状部分１３Ａを適当な箇所、例えば壁面の上端縁に引っ掛けると、直ぐに目につくので、探す手間を省くことができる。
【００１８】
使用にあたっては、取っ手１２を片手に持ち、雌又は雄のプラグ２０Ａ又は２０Ｂ、図２の場合は雄プラグ２０Ａを電源又は他の中継用コードの雌プラグの場所に残して巻取り器１０を持ち運ぶと、巻取り器１０が取っ手１２の回りに回転して中継用コード２０が巻き出されるので、雌プラグ２０Ｂにさらに次の中継用コードの雄プラグに接続するか、電気機器の雄プラグを接続すると、電気機器に通電することができる。
【００１９】
このとき、中継用コード２０はコイル状になっていないので、電気機器の負荷が大きくても電圧降下は少なく、電気機器の作動効率を保証できる。
【００２０】
また、細長い形状に巻き取ったので、従来の巻取りドラムの場合のように丸く嵩張ることはなく、容易に持ち運ぶことができる。
【符号の説明】
【００２１】
１０          巻取り器
１１          バー
１１Ａ        引っ掛け部
１２          取っ手
１３          Ｕ字状アーム
１３Ａ        フック状部分
２０          中継用コード
２０Ａ        雄プラグ
２０Ｂ        雌プラグ
【図１】
0003150261.tif 000003
【図２】
0003150261.tif 000004